(57)【要約】【課題】  振分部材に形成された渦巻き形状の遊技球振分通路によって、ステージ部に設けられた入賞口への入賞率の異なる各排出通路へ遊技球を振り分けることにより遊技性を向上させた遊技機を提供する。【解決手段】  ステージ部２９において、渦巻き形状で、且つ中心部に向かって傾斜して形成された遊技球振分通路３３を有する振分部材３０を設け、振分部材３０に進入したパチンコ球４７の速度によって、円板３１の中心に形成された第１誘導口４１と、円板３１の外周に形成された第２誘導口４３とに振り分けるとともに、入賞口５２への入賞率の異なる第１排出通路３９及び第２排出通路４０へとそれぞれ誘導するように構成する。【選択図】  図６
2005334247.tif 000002
【特許請求の範囲】
【請求項１】
前面部に遊技領域を有する遊技盤と、
前記遊技領域に前記遊技盤に対して略直角かつ水平に設けられるとともに、遊技盤に対して水平方向に遊技球が転動する転動領域を有するステージ部と、
前記遊技領域に設けられ、遊技球の振り分けを行う振分部材と、
前記振分部材に遊技球を案内する案内通路と、
前記案内通路に連通し、前記遊技領域内の遊技球が進入する進入口と、
前記案内通路内の遊技球を前記振分部材へと送出する送出口と、を有し、
前記振分部材は、
円板部と、
前記円板部上で渦巻き形状に形成されるとともに第１傾斜角で傾斜する遊技球振分通路と、
前記ステージ部に前記遊技球振分通路内の遊技球を誘導する誘導口と、
を備え、
前記送出口は、前記遊技球を前記遊技盤方向へと送出するとともに、前記遊技球振分通路の所定位置に遊技球を落下させることを特徴とする遊技機。
【請求項２】
前面部に遊技領域を有する遊技盤と、
前記遊技盤の前方で遊技盤を保護するガラス部材と、
前記遊技領域に前記遊技盤に対して略直角かつ水平に設けられるとともに、遊技盤に対して水平方向に遊技球が転動する転動領域を有するステージ部と、
前記遊技領域に設けられ、遊技球の振り分けを行う振分部材と、
前記振分部材に遊技球を案内する案内通路と、
前記案内通路に連通し、前記遊技領域内の遊技球が進入する進入口と、
前記案内通路内の遊技球を前記振分部材へと送出する送出口と、を有し、
前記振分部材は、
円板部と、
前記円板部上で渦巻き形状に形成されるとともに第１傾斜角で傾斜する遊技球振分通路と、
前記ステージ部に前記遊技球振分通路内の遊技球を誘導する誘導口と、
を備え、
前記送出口は、前記遊技球を前記ガラス部材に対して左右方向に所定角度傾斜して送出するとともに、前記遊技球振分通路の所定位置に遊技球を落下させることを特徴とする遊技機。
【請求項３】
前記遊技球振分通路は、渦巻き形状の内側の通路が外側の通路より高くなることを特徴とする請求項１又は請求項２に記載の遊技機。
【請求項４】
前記ステージ部は、異なる確率を持って前記遊技球を前記遊技領域に設けられた入賞口に入賞させる複数の排出部を有し、
前記誘導口を複数備え、
前記複数の排出部の内、最も入賞率の高い排出部へと遊技球を誘導する第１誘導口と、
前記円板部の外周部に設けられ、前記複数の排出部の内、最も入賞率の低い排出部へと遊技球を誘導する第２誘導口と、
を有することを特徴とする請求項３に記載の遊技機。
【請求項５】
前記案内通路は、前記送出口が形成された一端が第２傾斜角に傾斜され、
前記第１傾斜角と第２傾斜角とが為す角度が３０度以下となることを特徴とする請求項３又は請求項４に記載の遊技機。
【請求項６】
前記送出口は、前記円板部の外周面より外側に位置することを特徴とする請求項１乃至請求項５のいずれかに記載の遊技機。
【請求項７】
前記送出口は、前記円板部の外周面より内側に位置するとともに、円板部との間に前記遊技球の直径以上の間隙が形成されることを特徴とする請求項１乃至請求項５のいずれかに記載の遊技機。
【請求項８】
前記遊技球振分通路は、前記円板部と、円板部に立設された通路壁とにより形成され、
前記円板部及び前記通路壁は光を透過する透過性部材により成形されていることを特徴とする請求項１乃至請求項７のいずれかに記載の遊技機。
【発明の詳細な説明】
【技術分野】
【０００１】
本発明は、遊技領域を転動する遊技球を振り分ける振分部材を有する遊技機において、特に、振分部材が渦巻き形状の遊技球振分通路を有するとともに、遊技球振分通路に対して特定方向より遊技球を進入させることにより、遊技性が向上したパチンコ機等の遊技機に関する。
【背景技術】
【０００２】
遊技機の一つであるパチンコ機では、遊技盤の遊技領域内に遊技球を送り出し、遊技盤上に多数配設された遊技釘等によって流下する遊技球の挙動を変化させながら遊技球がアウト口へ入るか、あるいは入賞口に入り、賞球を獲得し得るかを楽しむものである。しかし、遊技領域を転動する遊技球が入賞口に入るか否かは、遊技球が入賞口に対してどの角度で落下するか否かだけで決定される。また、入賞口の開口部にチューリップと呼ばれる開閉式の役物を設けることにより、入賞口への入賞確率を変更するパチンコ機も提案されているが、そのようなパチンコ機あっても、遊技球は単純に開閉する役物の上面を転げ落ちて入賞口に入るだけであり、その入賞までのパチンコ玉の動きは短時間かつ単純であり、遊技者を飽きさせることとなっていた。
そこで、特開平６−２３８０４１号公報には、盤面に直交するように水平面に沿って同心円状に設けられるとともに、水平方向に回転する複数の環状ステージに、入賞口に到達するのを偶発的に阻止する為のパチンコ玉が落下させる落下孔をところどころに形成し、環状ステージに送られたパチンコ玉を当接部材によって順次内側の環状ステージ上へと移動させることによって、パチンコ玉が入賞口に入るまでの挙動を複雑にした遊技機が記載されている。
【特許文献１】特開平６−２３８０４１号公報（第３頁〜第４頁、図１〜図３）
【発明の開示】
【発明が解決しようとする課題】
【０００３】
しかしながら、前記した特許文献１に記載された遊技機においては、遊技球は円形状に形成されたステージ部を当接部材によって円周方向から円の中心方向へと移動するのみであり、遊技球がステージ部に送られるタイミングと各環状ステージの回転速度のみによってステージ部の遊技球の挙動が変化し、入賞口に入賞するか否かが決定されることとなっていた。従って、ステージ部に到達するまでの遊技球の挙動（遊技球の軌道、遊技領域へ打ち出す遊技球の速度等）に関しては、入賞率に影響することなく、遊技性の向上という点では不十分なものであった。
また、ステージ部に遊技球を送出する導入樋が盤面の前方に設けられた正面ガラスに対して垂直方向に設けられているので、ステージ部に送出された遊技球が正面ガラスと衝突し、破損を招く虞があった。
【０００４】
本発明は、前記従来の問題点を解消するためになされたものであり、渦巻き形状に形成された振分部材に進入する遊技球の速度を含めた複数の要素によって振分部材における遊技球の挙動を変化させ、入賞口への入賞率を決定させることにより、遊技性が向上した遊技機を提供することを目的とする。また、遊技球振分通路に対して特定方向より遊技球を進入させることにより、各部材の破損を防止し、安全性が向上した遊技機を提供することを目的とする。
【課題を解決するための手段】
【０００５】
前記目的を達成するため請求項１に係る遊技機は、前面部に遊技領域を有する遊技盤と、前記遊技領域に前記遊技盤に対して略直角かつ水平に設けられるとともに、遊技盤に対して水平方向に遊技球が転動する転動領域を有するステージ部と、前記遊技領域に設けられ、遊技球の振り分けを行う振分部材と、前記振分部材に遊技球を案内する案内通路と、前記案内通路に連通し、前記遊技領域内の遊技球が進入する進入口と、前記案内通路内の遊技球を前記振分部材へと送出する送出口と、を有し、前記振分部材は、円板部と、前記円板部上で渦巻き形状に形成されるとともに第１傾斜角で傾斜する遊技球振分通路と、前記ステージ部に前記遊技球振分通路内の遊技球を誘導する誘導口と、を備え、前記送出口は、前記遊技球を前記遊技盤方向へと送出するとともに、前記遊技球振分通路の所定位置に遊技球を落下させることを特徴とする。
【０００６】
また、請求項２に係る遊技機は、前面部に遊技領域を有する遊技盤と、前記遊技盤の前方で遊技盤を保護するガラス部材と、前記遊技領域に前記遊技盤に対して略直角かつ水平に設けられるとともに、遊技盤に対して水平方向に遊技球が転動する転動領域を有するステージ部と、前記遊技領域に設けられ、遊技球の振り分けを行う振分部材と、前記振分部材に遊技球を案内する案内通路と、前記案内通路に連通し、前記遊技領域内の遊技球が進入する進入口と、前記案内通路内の遊技球を前記振分部材へと送出する送出口と、を有し、前記振分部材は、円板部と、前記円板部上で渦巻き形状に形成されるとともに第１傾斜角で傾斜する遊技球振分通路と、前記ステージ部に前記遊技球振分通路内の遊技球を誘導する誘導口と、を備え、前記送出口は、前記遊技球を前記ガラス部材に対して左右方向に所定角度傾斜して送出するとともに、前記遊技球振分通路の所定位置に遊技球を落下させることを特徴とする。
【０００７】
また、請求項３に係る遊技機は、請求項１又は請求項２に記載の遊技機において、前記遊技球振分通路は、渦巻き形状の内側の通路が外側の通路より高くなることを特徴とする。
【０００８】
また、請求項４に係る遊技機は、請求項３に記載の遊技機において、前記ステージ部は、異なる確率を持って前記遊技球を前記遊技領域に設けられた入賞口に入賞させる複数の排出部を有し、前記誘導口を複数備え、前記複数の排出部の内、最も入賞率の高い排出部へと遊技球を誘導する第１誘導口と、前記円板部の外周部に設けられ、前記複数の排出部の内、最も入賞率の低い排出部へと遊技球を誘導する第２誘導口と、を有することを特徴とする。
【０００９】
また、請求項５に係る遊技機は、請求項３又は請求項４に記載の遊技機において、前記案内通路は、前記送出口が形成された一端が第２傾斜角に傾斜され、前記第１傾斜角と第２傾斜角とが為す角度が３０度以下となることを特徴とする。
【００１０】
また、請求項６に係る遊技機は、請求項１乃至請求項５に記載の遊技機において、前記送出口は、前記円板部の外周面より外側に位置することを特徴とする。
【００１１】
また、請求項７に係る遊技機は、請求項１乃至請求項５に記載の遊技機において、前記送出口は、前記円板部の外周面より内側に位置するとともに、円板部との間に前記遊技球の直径以上の間隙が形成されることを特徴とする。
【００１２】
また、請求項８に係る遊技機は、前記遊技球振分通路は、前記円板部と、円板部に立設された通路壁とにより形成され、前記円板部及び前記通路壁は光を透過する透過性部材により成形されていることを特徴とする。
【発明の効果】
【００１３】
請求項１に係る遊技機では、遊技領域内を転動する遊技球を案内通路を介して送出口より遊技盤方向へと送出し、振分部材に形成された渦巻き状の遊技球振分通路に落下させるとともに、振り分けた遊技球をステージ部へと誘導する誘導口を形成したので、傾斜された遊技球振分通路に進入する遊技球の速度によって振分部材での遊技球の挙動が変化する。従って、振分部材へと誘導される前の遊技球の挙動を含めた複数の要素によって入賞率等が変更され、遊技性が向上する。また、振分部材内に遊技球が長く滞在するので、遊技者の期待感を高め、遊技に飽きさせることがない。更に、送出口より遊技球は遊技盤方向へと送出されるので、振分部材に送出された遊技球が、振分部材より外へと飛び出した場合であってもガラス部材等と衝突する虞がなく、安全性が向上する。
【００１４】
また、請求項２に係る遊技機では、遊技領域内を転動する遊技球を案内通路を介して送出口よりガラス部材に対して左右方向に所定角度傾斜して送出し、振分部材に形成された渦巻き状の遊技球振分通路に落下させるとともに、振り分けた遊技球をステージ部へと誘導する複数の誘導口を形成したので、傾斜された遊技球振分通路に進入する遊技球の速度によって振分部材での遊技球の挙動が変化する。従って、振分部材へと誘導される前の遊技球の挙動を含めた複数の要素によって入賞率等が変更され、遊技性が向上する。また、振分部材内に遊技球が長く滞在するので、遊技者の期待感を高め、遊技に飽きさせることがない。更に、送出口より遊技球はガラス部材に対して左右方向に所定角度傾斜して送出されるので、振分部材に送出された遊技球が、振分部材より外へと飛び出した場合であってもガラス部材等と衝突する虞が少なく、安全性が向上する。
【００１５】
また、請求項３に係る遊技機では、遊技球振分通路は渦巻き形状の内側の通路が外側の通路より高くなるので、傾斜された遊技球振分通路に進入する遊技球の速度によって振分部材での遊技球の挙動が変化する。従って、振分部材へと誘導される前の遊技球の挙動を含めた複数の要素によって入賞率が変更され、遊技性が向上する。
【００１６】
また、請求項４に係る遊技機では、円板部の中心に最も入賞率の高い排出部へと遊技球を誘導する第１誘導口を設けるとともに、円板部の外周部に最も入賞率の低い排出部へと遊技球を誘導する第２誘導口とを設けたので、傾斜された遊技球振分通路に進入する遊技球の速度によって進入した遊技球の入賞率が変化する。従って、遊技機の遊技性が向上する。
【００１７】
また、請求項５に係る遊技機では、案内通路は、送出口が形成された一端が第２傾斜角に傾斜され、第１傾斜角と第２傾斜角とが為す角度が３０度以下となるので、遊技球と振分部材との衝突による雑音の発生を抑え、且つ、遊技球が振分部材の外へと飛び出すことなくスムーズに遊技球振分通路へと導くことが可能である。
【００１８】
また、請求項６に係る遊技機では、送出口は、円板部の外周面より外側に位置するので、遊技球振分通路を転動する遊技球の流れが送出口によって妨げられることが無い。従って、振分部材内において遊技球が詰まることを防止することができる。
【００１９】
また、請求項７に係る遊技機では、送出口は、円板部の外周面より内側に位置するとともに、円板部との間に前記遊技球の直径以上の間隙が形成されるので、遊技球振分通路を転動する遊技球の流れが送出口によって妨げられることが無い。従って、振分部材内において遊技球が詰まることを防止することができる。
【００２０】
更に、請求項８に係る遊技機では、遊技球振分通路を構成する円板部及び通路壁は光を透過する透過性部材により成形されているので、遊技球振分通路で転動するパチンコ球を遊技者が外部より認視可能になり、遊技者の興趣が増す。
【発明を実施するための最良の形態】
【００２１】
以下、本発明に係る遊技機をパチンコ機について具体化した実施形態について図面を参照して詳細に説明する。
先ず、本実施形態に係るパチンコ機の概略構成について図１乃至図５に基づき説明する。図１は本実施形態に係るパチンコ機の全体を示した正面図である。図２は本実施形態に係るパチンコ機の遊技盤を示した正面図、図３は本実施形態に係るパチンコ機の遊技盤を示した側面図、図４は本実施形態に係るパチンコ機の遊技盤を示した上面図である。図５は本実施形態に係るパチンコ機を示した背面図である。
【００２２】
図１乃至図５に示すように、本実施形態に係るパチンコ機１は、所定量のパチンコ球を賞球として払い出す、いわゆる第１種パチンコ機で、一般にＣＲ機（カードリーディング機）と称され、カード式球貸機とパチンコ機１とによって構成され、これらは対をなして設置されるが、図１及び図４においては、カード式球貸機の図示を省略している。パチンコ機１は、木製の外枠２に対して合成樹脂製の中枠３が、前枠取付用ヒンジを構成する上ヒンジ４及び下ヒンジ５を介して外枠２に対して開閉自在に取り付けられている。そして、この中枠３のほぼ上半分の前側には、合成樹脂製の前面カバー部材６が左端縁部の上下を軸支されて開閉自在に取り付けられている。また、この前面カバー部材６のほぼ中央部には略円形の窓部７が開設され、この窓部７の外周縁部に形成されるガラス保持枠に装着されたガラス部材２１を通して遊技盤８上の遊技領域９を見ることができるように構成されている。また、前面カバー部材６の窓部７の上端縁部には、フルカラーの発光ダイオードが内蔵され、遊技中のエラーを表示するエラー表示電飾ランプ１０Ａが取り付けられている。また、このエラー表示電飾ランプ１０Ａの左右外側には、「当たり」等の発生を報知したり遊技中に光演出をする各電飾ランプ１０Ｂが取り付けられている。また、前面カバー部材６の前面部分は、不透明な合成樹脂製の前面部材６Ａで覆われており、この各電飾ランプ１０Ａ、１０Ｂと窓部７の上端周縁部との間に、不図示のフルカラーダイオードが左右方向に内蔵され、遊技中に光演出が行われる。
【００２３】
また、前面カバー部材６の右側中央部には、中枠３及び前面カバー部材６を施錠する施錠装置（不図示）を操作するための鍵挿入部１１が設けられている。前面カバー部材６を開くためには、この鍵挿入部１１に所定のキーを挿入して所定方向に回せば、施錠装置のロック状態が解除されて、前面カバー部材６のみがオープンされる。
【００２４】
また、この前面カバー部材６の下側には、賞球払出装置を介して払い出される賞球を受ける上皿１２がスピーカ１３を内蔵して合成樹脂製プレート１４に配設されている。また、この合成樹脂製プレート１４は、左端縁部の上下を軸支されて、前面カバー部材６を開放後、内側に設けられた不図示のレバーを下げることにより開放できるように取り付けられている。また、この上皿１２の中央前面部には、カード式球貸機の操作ボタン１５、１６及びカード残高表示装置１７が設けられている。そして、その上皿１２の下には、下皿１８が配設される。また、上皿１２に連通する不図示の球送り機構を介して上皿１２のパチンコ球が操作ハンドル１９に連結された発射装置２０へ送られるよう構成されている。
【００２５】
次に、図２乃至図４において、パチンコ機１における遊技盤８上の遊技領域９の構成について説明する。この遊技領域９は、所定厚さの板材をなした遊技盤８上に入賞口などの各構造物が配設され、それを囲むように環状のレール２２が立設されて構成されている。このレール２２は、発射されたパチンコ球を遊技領域９内に案内する重複して形成した案内路２３を構成し、右肩部にはレール２２に沿って打ち込まれるパチンコ球の進行を制限するための段差部２４を有する。
【００２６】
遊技領域９のほぼ中央には、開口部が開設され、この開口部の前面側に特別図柄表示装置２５が配設されている。この特別図柄表示装置２５は、遊技盤８の前面側から取り付けられる装飾部材２６と、遊技盤８の裏面側から取り付けられる液晶表示器（ＬＣＤ）２７等から構成されている。この液晶表示器２７は、左、中、右に３つの変動図柄を表示する液晶パネルであって、その左下角部には、左右に２分割された普通図柄を表示する普通図柄表示部２８が構成されている。そして、特別図柄表示装置２５内に遊技盤に対して略直角かつ水平に設けられたステージ部２９の右側部には、略円形状に形成された振分部材３０が設けられている。振分部材３０は、底面である円板３１に立設された通路壁３２によって渦巻き形状の遊技球振分通路３３が形成されている。
【００２７】
また、特別図柄表示装置２５内部であって振分部材３０の上方には、遊技領域９内を転動するパチンコ球４７をステージ部２９の振分部材３０へと案内する案内通路３５が形成されている。そして、特別図柄表示装置２５の右肩部には、パチンコ球４７を案内通路３５へと誘導する進入口３６が形成されている。また、特別図柄表示装置２５内の振分部材３０の直上には、案内通路３５の出口にあたる送出口３７が形成されている。
【００２８】
更に、ステージ部２９には、遊技盤８に対して水平方向にパチンコ球を転動させる転動領域を有し、異なる確率を持ってパチンコ球を入賞口５２に入賞させる２つの第１及び第２排出通路３９、４０が設けられている。この内、第１排出通路３９は、振分部材３０の中心に形成された第１誘導口４１より落下したパチンコ球を入賞口５２の直上に形成された第１排出口４２に案内し、第１排出口４２から再び遊技領域９へと排出する（図６参照）。尚、第１排出口４２から排出されたパチンコ球は高い確率で入賞口５２に入賞するように設定されている。
一方、第２排出通路４０は、振分部材３０の外周に形成された第２誘導口４３より落下したパチンコ球をステージ部２９の前方に設けられた波形部４４に案内する。波形部４４に案内されたパチンコ球は、波形部４４に形成された凹部４５よりステージ部２９の前方へと排出され、再び遊技領域９を転動する（図６参照）。即ち、第１排出通路３９に誘導されたパチンコ球は、第２排出通路４０に誘導されたパチンコ球より入賞口５２への入賞率が高くなっている。
【００２９】
また、特別図柄表示装置２５の振分部材３０が設けられた前面部には開口部４６が形成されており、且つ、案内通路３５の前面を覆う装飾部材２６及び振分部材３０は、光を透過させる透過性部材（例えば、透明樹脂）により形成されている。従って、案内通路３５及びステージ部２９内で転動するパチンコ球を遊技者が外部より認視可能になっている。尚、ステージ部２９については後に詳細に後述する。
【００３０】
一方、特別図柄表示装置２５の左側には風車５０、５１が回転自在に設けられている。また、特別図柄表示装置２５の直下には、入賞口５２が配設されている。この入賞口５２には、パチンコ球の入賞を検出する入賞口スイッチ（不図示）が設けられ、パチンコ球の入賞を検出することで液晶表示器２７に表示されている特別図柄が変動する。そして、特別図柄が変動中に入賞口５２に入賞した場合には、入賞個数が４個まで後述のメイン制御基板８１（図５参照）に設けられるＲＡＭの第１保留カウンタに記憶されて変動確定回数として保留される。そして、この第１保留カウンタに記憶されているカウント値を表示する保留ランプ５３が、液晶表示器２７の左側に計４個配置されている。
【００３１】
また、入賞口５２の左側にはゲート５４が配置され、ゲート５４にはパチンコ球の通過を検出するゲートスイッチ（不図示）が備えられており、パチンコ球の通過を検出することで普通図柄表示部２８の普通図柄が変動する。そして、このゲート５４にパチンコ球が入って、普通図柄表示部２８の普通図柄が変動後、所定の表示態様で停止した場合（例えば、「１１」、「７７」のように揃った場合等）には、入賞口５２の上部に設けられるチューリップ式役物５２Ａが所定時間（本実施形態では、約１秒間）開かれ、この入賞口５２にパチンコ球が入賞する確率が増加する。
【００３２】
また、普通図柄が変動中にゲート５４をパチンコ球が通過した場合には、通過個数が４個までメイン制御基板８１（図５参照）に設けられるＲＡＭの第２保留カウンタに記憶されて変動確定回数として保留される。
【００３３】
そして、入賞口５２の下側には、横幅が広い上方に開口する開閉扉５６で前面部を覆われる大入賞口５７が形成されている。また、入賞口５２の左右両側には上方に開口する上入賞口５８、５９が前面側に突出して形成されている。また、各上入賞口５８、５９の更に両側部には、各電飾ランプ６０、６１が内蔵されている。
【００３４】
また、上入賞口５８、５９の下方には下入賞口６２、６３も配設されている。下入賞口６２、６３は遊技盤８裏面の不図示の賞球樋に連通され、この下入賞口６２、６３への入賞を検出する下入賞口スイッチ（不図示）が設けられている。また、大入賞口５７の直下にはレール２２に沿ってアウト口６４が開設されている。更に、レール２２に囲まれたこのような遊技領域９には、前記各構成物とともに複数の釘が打設されてパチンコ球の複雑な流路を構成している。
【００３５】
次に、図５に基づいてパチンコ機１の背面側の構成について説明する。
図５に示すように、中枠３のほぼ中央部には遊技盤８が着脱自在なように鉄板等の金属製の機構盤６７が取り付けられている。そして、この機構盤６７の裏側には合成樹脂製の機構セット盤６８が開閉自在に蝶番により取り付けられている。
また、パチンコ機１の裏側の背面上方部には、上方に開口した賞球タンク６９が機構セット盤６８に固定されている。賞球タンク６９は、傾斜した底面に連通孔７０が形成され、その連通孔７０の下方にはパチンコ球を１列に整列流出し、賞球ケース７１にパチンコ球を送る通路を形成するタンクレール７２が取り付けられている。
【００３６】
また、賞球ケース７１にパチンコ球を案内する賞球案内部７３内には、タンクレール７２の下流側のパチンコ球を送る１列の賞球通路が形成されている。
また、賞球ケース７１内には、賞球案内部７３内の賞球通路を通過するパチンコ球を確認する球有り検出スイッチやパチンコ球の払い出しを調節する払い出しソレノイドが内装されている。そして、これら賞球タンク６９、タンクレール７２、賞球案内部７３、賞球ケース７１等により賞球及び貸球の払い出しシステムが構成されている。
そして、賞球ケース７１の下流側には排出部が形成され、入賞球を排出する入賞球排出通路７４及び下皿オーバーフロースイッチ（不図示）が内装された下皿排出路７５が下端部下方に形成されている。また、この下皿排出路７５を介して上皿１２から溢れた賞球を受けて下皿１８に案内する下部受皿ボックス７６が中枠３の裏側に取り付けられている。
【００３７】
また、タンクレール７２の下側には液晶表示装置（ＬＣＤ）等をカバーする合成樹脂製のセンターカバー７７が取り付けられている。そして、このセンターカバー７７の背面部内側には、ＬＣＤ等を駆動制御する表示制御基板７８、スピーカ１３等を駆動制御する音制御基板７９、及び電飾ランプ１０Ｂ等を駆動制御するランプ制御基板８０が取り付けられている。また、センターカバー７７の下側には、パチンコ機１の遊技動作を制御するメイン制御基板８１が内蔵される基板ケース８２が配設されている。また、この基板ケース８２の右下には電源ボックス８３が配設されている。
【００３８】
続いて、前記遊技盤８の特別図柄表示装置２５に設けられたステージ部２９について図６を用いて詳細に説明する。図６は本実施形態に係るステージ部の要部について示した斜視図である。
【００３９】
本実施形態に係るステージ部２９は、遊技領域内において前記したように水平方向にパチンコ球を転動させる転動領域を有する。また、ステージ部２９には、異なる確率をもってパチンコ球を入賞口５２に入賞させる第１排出通路３９及び第２排出通路４０が設けられ、ステージ部２９の側部に設けられた振分部材３０は、２つの排出通路３９、４０のそれぞれにパチンコ球４７を誘導する第１誘導口４１及び第２誘導口４３とを備えている。
【００４０】
先ず、ステージ部２９に設けられた第１排出通路３９及び第２排出通路４０について図５を参照にしながら説明する。
第１排出通路３９は、振分部材３０の中心に形成された第１誘導口４１より落下したパチンコ球を入賞口５２の真上に形成された第１排出口４２に案内し、第１排出口４２から再び遊技領域９へと排出する通路である。ここで、第１排出通路３９は大きく４つの通路に分かれて構成されており、振分部材３０の下部に取り付けられた落下樋８５と、液晶表示器２７の前方に傾斜して形成された傾斜部８６と、傾斜部８６の中央部に形成された傾斜溝８７と、ステージ部２９内より落下口８８を介して第１排出口４２にパチンコ球４７を導く誘導通路８９とから構成されている。
【００４１】
落下樋８５は、振分部材３０の第１誘導口４１より落下したパチンコ球４７を液晶表示器２７の前方に形成された傾斜部８６に案内する。
傾斜部８６は、左右方向より中央方向に対して徐々に下方に傾斜した形状を有しており、その中央部には傾斜溝８７が形成されている。また、傾斜部８６の前方縁部には仕切壁９０が形成されており、傾斜部８６内を転動するパチンコ球４７が波形部４４に落下しないように案内する。
【００４２】
また、傾斜溝８７はステージ部２９の前方へ一定角度で傾斜しており、傾斜部８６内を滑り落ちてきたパチンコ球４７の動きを一端停止させるとともに、ステージ部２９の前方へと誘導する。
そして、落下口８８は、傾斜溝８７の前方に設けられた略四角形状の穴であり、傾斜溝８７により案内されたパチンコ球４７を、誘導通路８９へと導くものである。
一方、誘導通路８９は装飾部材２６の内部に形成された通路であり、傾斜溝８７のパチンコ球４７を装飾部材２６の内部を通して入賞口５２の直上に形成された第１排出口４２へと案内する。
【００４３】
また、第２排出通路４０は、振分部材３０の外周部に設けられた第２誘導口４３より落下したパチンコ球をステージ部２９の前方に形成された波形部４４へと案内する通路である。
第２排出通路４０は、図６に示すように振分部材３０に形成された第２誘導口４３の下方に設けられ、波形部４４方向へと傾斜して形成されている。従って、第２誘導口４３より落下したパチンコ球４７は第２排出通路４０上に落下し、更に第２排出通路４０の傾斜に沿って波形部４４へと案内される。また、波形部４４はステージ部２９の前方で波型に形成された台座部分でありステージ部２９の前方へと僅かに傾斜されている。従って、第２排出通路４０によって波形部４４に案内されたパチンコ球４７は、波形部４４の最も低い位置にあたる凹部４５を中心に左右へ何度か往復運動をした後に、ステージ部２９の前方へと落下し、遊技領域９内へと再度送出される。
【００４４】
次に、ステージ部２９の側部に設けられた振分部材３０について図７乃至図９を用いて詳細に説明する。図７は本実施形態に係る振分部材について示した平面図、図８は本実施形態に係る振分部材について示した正面図、図９は図７の線Ａ−Ａで振分部材を切断した矢視断面図である。
【００４５】
図７乃至図９に示すように、振分部材３０は、略円形に形成された円板３１と、円板３１に立設された通路壁３２と、円板３１と通路壁３２によって渦巻き形状に形成された遊技球振分通路３３から形成されている。更に、遊技球振分通路３３は外周部より中心部に位置する通路ほど高くなるように傾斜して形成されており、その傾斜角度は１０度に設定されている（図９参照）。
【００４６】
また、遊技球振分通路３３の円板３１の中心部に位置する一端には、円形状の第１誘導口４１が形成されている。第１誘導口４１は円板３１を貫通して形成されており、第１誘導口４１より落下したパチンコ球４７は前記落下樋８５（図６参照）へと導かれる。
【００４７】
一方、遊技球振分通路３３の円板３１の外周部に位置する他端には、第２誘導口４３が形成されている。第２誘導口４３は遊技球振分通路３３の端部に対向した通路壁３２に形成されており、第２誘導口４３より落下したパチンコ球４７は前記第２排出通路４０（図６参照）へと導かれる。
【００４８】
次に、これらステージ部２９においてパチンコ球４７を誘導する仕組みについて、図１０乃至図１４を用いて説明する。
図１０に示すように、遊技領域９内を転動するパチンコ球４７は、特別図柄表示装置２５の右肩部に設けられた進入口３６（図２参照）に進入すると、案内通路３５を介して振分部材３０の上方に設けられた送出口３７より送出される。送出されたパチンコ球４７は振分部材３０の遊技球振分通路３３内に落下する。尚、送出口３７は水平方向に対して１５度下方に傾斜して、且つ開口部が遊技盤８に対向するように形成されており、パチンコ球４７を遊技盤８に対して垂直方向へと送出する。また、振分部材３０の外周面３０Ａより内側に位置する送出口３７は、振分部材３０の円板３１との間に少なくともパチンコ球４７の直径Ｄより大きくなるように設定されたＬの長さを有する間隙９１が形成されている。従って、送出口３７の下方をパチンコ球４７は通過可能となっている。
【００４９】
そして、図１１に示すように、送出口３７より遊技球振分通路３３内に落下したパチンコ球４７が一定以上の速度を有していた場合には、通路壁３２に沿って傾斜する遊技球振分通路３３を上り、徐々に渦巻きの中心へと移動する。そして、中心部に形成された第１誘導口４１より落下する。尚、遊技球振分通路３３内に落下したパチンコ球４７の速度は、発射装置２０により遊技盤８に打ち出されたパチンコ球４７の速度、及び進入口３６に進入するまでのパチンコ球４７の軌道によって決定される。
【００５０】
そして、図１２に示すように、第１誘導口４１より落下したパチンコ球４７は、第１排出通路３９の一部を為す落下樋８５によって傾斜部８６へと運ばれる。傾斜部８６は前記したように中央方向へ向かって下向きに傾斜しており、パチンコ球４７は傾斜に沿って中央の傾斜溝８７へと案内される。その後、傾斜溝８７によって落下口８８へと導かれ、誘導通路８９を介して第１排出口４２から排出される。第１排出口４２より排出されたパチンコ球４７は高い確率で入賞口５２に入賞する。
【００５１】
一方、図１３に示すように、送出口３７より遊技球振分通路３３内に落下したパチンコ球４７が一定以上の速度を有していない場合には、通路壁３２に沿って傾斜する遊技球振分通路３３を上る際に傾斜面を上りきることができず、遊技球振分通路３３の途中で一端停止する。その後、進行方向を折り返して傾斜面を降り始め、渦巻きの外周方向へと戻る。そして、外周部の端部に形成された第２誘導口４３より落下する。尚、遊技球振分通路３３内に落下したパチンコ球４７の速度は、発射装置２０により遊技盤８に打ち出されたパチンコ球４７の速度、及び進入口３６に進入するまでのパチンコ球４７の軌道によって決定される。
【００５２】
そして、図１４に示すように、第２誘導口４３より落下したパチンコ球４７は、第２排出通路４０によって波形部４４へと運ばれる。波形部４４は前記したように波の形状を有した台座部分であり、ステージ部２９の前方へと僅かに傾斜されている。従って、第２排出通路４０によって波形部４４に案内されたパチンコ球４７は、波形部の最も低い位置にあたる凹部４５を中心に左右へ何度か往復運動をした後に、凹部４５が形成されたステージ部２９の前方より遊技領域９へと落下する。尚、凹部４５より排出されたパチンコ球４７は、第１排出通路３９を介して第１排出口４２より排出されたパチンコ球４７と比較して入賞口５２に入賞する確率が低くなるように設定されている。
【００５３】
尚、本実施形態においては、図１５示すように振分部材３０の遊技球振分通路３３の傾斜各をθ１、案内通路３５の送出口３７が形成された一端の傾斜角をθ２とし、θ１とθ２とが為す角をθ３とすると、θ１は１０度、θ２は１５度、θ３は２５度となっている。図１５は本実施形態に係る遊技球振分通路と送出口における案内通路の傾斜角を示した模式図である。
ここで、θ１は、振分部材３０においてパチンコ球４７の速度によって遊技球の振り分けを行う為に、最低５度の角度が必要となっている。一方、θ２は、案内通路３５により案内されたパチンコ球４７を振分部材３０の遊技球振分通路３３に対して落下させる為に、同じく最低５度の角度が必要となっている。
【００５４】
ここで、θ１とθ２の角度を調整することにより、第１排出通路３９と第２排出通路４０にどの程度の割合でパチンコ球４７を誘導するかを設定する事が可能である。ただし、θ１とθ２とが為す角θ３を特定の範囲内の角度を一定以上に大きくすると、送出口３７より送出されたパチンコ球４７が遊技球振分通路３３の下面（円板３１）と衝突した結果、高くバウンドし、通路壁３２を越えて振分部材３０の外へ飛び出してしまう虞がある。
【００５５】
その際に、θ３を３０度以内とすると、送出口３７より送出されたパチンコ球４７が振分部材３０外に飛び出すことなく、遊技球振分通路３３内に導くことが可能である。また、２０度乃至２７度とすることにより、高く跳ね上がることなくスムーズに遊技球振分通路３３内に導くことが可能である。更に、本実施形態と同様に２５度とすると、パチンコ球４７と振分部材３０との衝突音もほとんどなく、且つスムーズにパチンコ球４７を遊技球振分通路３３内に導くことが可能である。
【００５６】
以上説明した通り本実施形態に係るパチンコ機１では、特別図柄表示装置２５の内部に設けられたステージ部２９において、渦巻き形状で、且つ中心部に向かって傾斜して形成された遊技球振分通路３３を有する振分部材３０を設け、振分部材３０に進入したパチンコ球４７の速度によって、円板３１の中心に形成された第１誘導口４１と、円板３１の外周に形成された第２誘導口４３とに振り分けるとともに、入賞口５２への入賞率の異なる第１排出通路３９及び第２排出通路４０へとそれぞれ誘導するので、ステージ部２９に到達するまでのパチンコ球４７の挙動を含めた要素によって入賞率が変更されることとなり、遊技性が向上する。また、ステージ部２９にパチンコ球４７が長く滞在するので、遊技者の期待感を高め、遊技に飽きさせることがない。
また、振分部材３０の遊技球振分通路３３の傾斜各をθ１、案内通路３５の送出口３７が形成された一端の傾斜角をθ２とし、θ１とθ２とが為す角をθ３とした際に、θ１を１０度、θ２を１５度、θ３を２５度にそれぞれ設定することにより、パチンコ球４７と振分部材３０との衝突音を抑え、且つ、パチンコ球４７が振分部材３０外へと飛び出すことなくスムーズに遊技球振分通路３３内に導くことが可能である。
また、送出口３７はその開口部が遊技盤８方向へと向けられているので、パチンコ球４７は遊技盤８方向へと送出され、振分部材３０に送出されたパチンコ球４７が、振分部材３０より外へと飛び出した場合であってもパチンコ機１前面のガラス部材２１と衝突することなく、安全性が向上する。
更に、案内通路３５の前面を覆う装飾部材２６及び振分部材３０は、光を透過させる透過性部材（例えば、透明樹脂）により形成されているので、案内通路３５及びステージ部２９内で転動するパチンコ球を遊技者が外部より認視可能になり、遊技者の興趣が増す。
また、振分部材３０の外周面３０Ａより内側に位置する送出口３７は、振分部材３０の円板３１との間に少なくともパチンコ球４７の直径Ｄより大きくなるように設定されたＬの長さを有する間隙９１が形成されている。従って、送出口３７の下方をパチンコ球４７が通過する際にも送出口３７によってパチンコ球４７の流れが妨げられることなく、振分部材３０内においてパチンコ球４７が詰まることを防止することができる。
【００５７】
尚、本発明は前記実施例に限定されるものではなく、本発明の要旨を逸脱しない範囲内で種々の改良、変形が可能であることは勿論である。
例えば、本実施形態では振分部材３０の遊技球振分通路３３へとパチンコ球４７を送出する送出口３７は、円板３１の外周面より内側に位置しているが、円板３１の外周面より外側に位置するように設けることも可能である。図１６は変形例１におけるステージ部の特に振分部材付近を示した平面図である。
変形例１では、遊技領域９内を転動するパチンコ球４７が、特別図柄表示装置２５の右肩部に設けられた進入口３６（図２参照）に進入すると、案内通路３５を介して振分部材３０の上方に設けられた送出口９２より送出される。送出されたパチンコ球４７は振分部材３０の遊技球振分通路３３内に落下する。また、送出口９２は振分部材３０の外周面３０Ａより外側に位置するので、振分部材３０の円板３１との間に間隙を設けなくとも、パチンコ球４７が遊技球振分通路３３の途中で戻ってきた際（図１３参照）にも、送出口３７によってその流れを妨げられることがない。従って、振分部材３０内においてパチンコ球４７が詰まることを防止することができる。
【００５８】
また、本実施形態では、送出口３７は開口部が遊技盤８に対向するように形成され、パチンコ球４７を遊技盤８に対して垂直方向へと送出するが、パチンコ球４７の送出方向は遊技盤８方向以外にも、遊技機の前面に設けられたガラス部材２１（図１参照）方向へと送出するようにしても良い。図１７は変形例２におけるステージ部の特に振分部材付近を示した平面図である。
変形例２では、遊技領域９内を転動するパチンコ球４７が、特別図柄表示装置２５の右肩部に設けられた進入口３６（図２参照）に進入すると、案内通路３５を介して振分部材３０の上方に設けられた送出口９３より送出される。送出されたパチンコ球４７は振分部材３０の遊技球振分通路３３内に落下する。また、送出口９３はその開口部がガラス部材２１へと向けられているが、ガラス部材２１に対して垂直方向でなく、ガラス部材２１に対して左方向に傾斜して設けられているので、振分部材３０に送出されたパチンコ球４７が、振分部材３０外へと飛び出した場合であってもパチンコ機１前面のガラス部材２１と衝突する虞が少なくなり、安全性が向上する。
【図面の簡単な説明】
【００５９】
【図１】本実施形態に係るパチンコ機の全体を示した正面図である。
【図２】本実施形態に係るパチンコ機の遊技盤を示した正面図である。
【図３】本実施形態に係るパチンコ機の遊技盤を示した側面図である。
【図４】本実施形態に係るパチンコ機の遊技盤を示した上面図である。
【図５】本実施形態に係るパチンコ機を示した背面図である。
【図６】本実施形態に係るステージ部の要部を示した斜視図である。
【図７】本実施形態に係る振分部材を示した平面図である。
【図８】本実施形態に係る振分部材を示した正面図である。
【図９】図７の線Ａ−Ａで振分部材を切断した矢視断面図である。
【図１０】本実施形態に係るステージ部の遊技球の振り分け機構を示した模式図である。
【図１１】本実施形態に係るステージ部の遊技球の振り分け機構を示した模式図である。
【図１２】本実施形態に係るステージ部の遊技球の振り分け機構を示した模式図である。
【図１３】本実施形態に係るステージ部の遊技球の振り分け機構を示した模式図である。
【図１４】本実施形態に係るステージ部の遊技球の振り分け機構を示した模式図である。
【図１５】本実施形態に係る遊技球振分通路と送出口における案内通路の傾斜角を示した模式図である。
【図１６】変形例１におけるステージ部の特に振分部材付近を示した背面図である。
【図１７】変形例２におけるステージ部の特に振分部材付近を示した正面図である。
【符号の説明】
【００６０】
１                      パチンコ機
８                      遊技盤
９                      遊技領域
２１                    ガラス部材
３０                    振分部材
３１                    円板
３２                    通路壁
３３                    遊技球振分通路
３５                    案内通路
３６                    進入口
３７、９２、９３        送出口
３９                    第１排出通路
４０                    第２排出通路
４１                    第１誘導口
４２                    第１排出口
４３                    第２誘導口
４４                    第２排出口
４７                    パチンコ球
９１                    間隙
【図１】
2005334247.tif 000003
【図２】
2005334247.tif 000004
【図３】
2005334247.tif 000005
【図４】
2005334247.tif 000006
【図５】
2005334247.tif 000007
【図６】
2005334247.tif 000008
【図７】
2005334247.tif 000009
【図８】
2005334247.tif 000010
【図９】
2005334247.tif 000011
【図１０】
2005334247.tif 000012
【図１１】
2005334247.tif 000013
【図１２】
2005334247.tif 000014
【図１３】
2005334247.tif 000015
【図１４】
2005334247.tif 000016
【図１５】
2005334247.tif 000017
【図１６】
2005334247.tif 000018
【図１７】
2005334247.tif 000019